【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
第１の入力電圧を受信し、変調された出力電圧を伝達するよう構成されたパルス幅変調器と、
前記変調された出力電圧を受信し、誤り訂正信号及び補償信号のうちの少なくとも１つを生成し、前記誤り訂正信号及び前記補償信号のうちの少なくとも１つに基づいて第２の入力電圧を前記パルス幅変調器に伝達するよう構成された少なくとも１つのフィルタを含むフィルタリングユニットと
を備え、前記少なくとも１つのフィルタは、
前記パルス幅変調器の出力に結合され、前記誤り訂正信号を第１の比較器の第１の入力に伝達するよう構成された第１のフィルタと、
前記パルス幅変調器の前記出力に結合され、前記補償信号を前記第１の比較器の第２の入力に伝達するよう構成された第２のフィルタと、ここにおいて、前記第１の比較器の出力は、前記第２の入力電圧を備え、
前記変調された出力電圧を受信し、前記第１の入力電圧を直接前記パルス幅変調器に伝達するよう構成されたスイッチングユニットと
を備え、前記第１の比較器は、前記誤り訂正信号と前記補償信号とを比較し、調整電圧を伝達するよう構成され、
前記パルス幅変調器は、
基準電圧と前記第２の入力電圧とを受信し、修正された基準電圧を伝達するよう構成された第１の加算器と、
スケーリングされたランプ電圧と前記修正された基準電圧とを受信し、スケーリングされ、修正された基準電圧を伝達するよう構成された第２の加算器と、
前記第１の入力電圧と前記スケーリングされ、修正された基準電圧とを受信し、変調された電圧を伝達するよう構成された第２の比較器と、
前記変調された電圧を受信し、前記変調された出力電圧を伝達するよう構成された除算器と
を備える、装置。
【請求項２】
前記第１のフィルタは、ローパルフィルタを備え、前記第２のフィルタは、バンドパスフィルタを備える、請求項１に記載の装置。
【請求項３】
前記スイッチングユニットは、前記第１の入力電圧を前記パルス幅変調器に伝達し、前記変調された出力電圧を受信するよう構成された電力コンバータ及びモータのうちの１つを更に備える、請求項１に記載の装置。
【請求項４】
電力コンバータ及びモータのうちの前記１つは、前記パルス幅変調器に直接結合される、請求項３に記載の装置。
【請求項５】
前記第１の入力電圧は、電力コンバータの出力電圧を備え、前記パルス幅変調器は、前記電力コンバータの出力電圧内における変化に応答して三角波を調節するよう構成される、請求項３に記載の装置。
【請求項６】
パルス幅変調器を用いてパルス幅変調された信号を生成することと、
フィルタリングユニットを用いて、誤り訂正電圧及び補償電圧のうちの少なくとも１つを生成するために前記パルス幅変調された信号をフィルタリングすることと、
前記誤り訂正電圧及び前記補償電圧のうちの少なくとも１つに基づいて前記パルス幅変調器において受信された基準電圧を修正することと
を備え、前記フィルタリングすることは、
前記誤り訂正電圧を第１の比較器の第１の入力に伝達するために第１のフィルタを使用して前記パルス幅変調された信号をフィルタリングすることと、
前記補償電圧を前記第１の比較器の第２の入力に伝達するために第２のフィルタを使用して前記パルス幅変調された信号をフィルタリングすることと、ここにおいて、前記第１の比較器の出力電圧は、前記基準電圧を修正し、
スイッチングユニットを使用して前記パルス幅変調された信号を切り替えることと
を備え、前記スイッチングユニットは、前記パルス幅変調された信号を受信し、出力電圧を直接前記パルス幅変調器に伝達するよう構成され、
前記第１の比較器は、前記誤り訂正信号と補償信号とを比較し、調整電圧を伝達するよう構成され、
前記パルス幅変調器は、
前記基準電圧と前記調整電圧とを受信し、修正された基準電圧を伝達するよう構成された第１の加算器と、
スケーリングされたランプ電圧と前記修正された基準電圧とを受信し、スケーリングされ、修正された基準電圧を伝達するよう構成された第２の加算器と、
前記スイッチングユニットの前記出力電圧と前記スケーリングされ、修正された基準電圧とを受信し、変調された電圧を伝達するよう構成された第２の比較器と、
前記変調された電圧を受信し、前記パルス幅変調された信号を伝達するよう構成された除算器と
を備える、方法。
【請求項７】
前記第１のフィルタは、ローパスフィルタを備え、前記第２のフィルタは、バンドパスフィルタを備える、請求項６に記載の方法。
【請求項８】
前記基準電圧を修正することは、前記基準電圧を中心とする三角波を調整することを備える、請求項６に記載の方法。
【請求項９】
前記パルス幅変調された信号をフィルタリングすることは、周波数ドメイン内において１つ又は複数の伝達関数を生成することを備える、請求項８に記載の方法。
【請求項１０】
パルス幅変調器を用いてパルス幅変調された信号を生成するための手段と、
誤り訂正電圧及び補償電圧のうちの少なくとも１つを生成するために前記パルス幅変調された信号をフィルタリングするための手段と、
前記誤り訂正電圧及び前記補償電圧のうちの少なくとも１つに基づいて前記パルス幅変調器において受信された基準電圧を修正するための手段と
を備え、前記フィルタリングするための手段は、
前記パルス幅変調器の出力に結合され、前記誤り訂正電圧を第１の比較器の第１の入力に伝達するよう構成された第１のフィルタと、
前記パルス幅変調器の前記出力に結合され、補償信号を前記第１の比較器の第２の入力に伝達するよう構成された第２のフィルタと、ここにおいて、前記第１の比較器の出力は、前記基準電圧を修正し、
パルス幅変調された信号を切り替え、前記切り替えられた信号の出力電圧を直接前記パルス幅変調器に伝達するためのスイッチング手段と
を備え、前記第１の比較器は、前記誤り訂正信号と前記補償信号とを比較し、調整電圧を伝達するよう構成され、
前記パルス幅変調器は、
前記調整電圧と前記基準電圧とを受信し、修正された基準電圧を伝達するよう構成された第１の加算器と、
スケーリングされたランプ電圧と前記修正された基準電圧とを受信し、スケーリングされ、修正された基準電圧を伝達するよう構成された第２の加算器と、
前記切り替えられた信号の前記出力電圧と前記スケーリングされ、修正された基準電圧とを受信し、変調された電圧を伝達するよう構成された第２の比較器と、
前記変調された電圧を受信し、前記パルス幅変調された信号を伝達するよう構成された除算器と
を備える、装置。
【手続補正２】
【補正対象書類名】明細書
【補正対象項目名】００４０
【補正方法】変更
【補正の内容】
【００４０】
[0055]開示された模範的な実施形態の先の説明は、いかなる当業者であっても、本発明の製造又は使用を可能にするよう提供される。これらの模範的な実施形態に対する様々な修正は、当業者には容易に明らかとなり、本明細書において定義された包括的な原理は、本発明の精神又は範囲から逸脱することなく他の実施形態に適用されうる。従って、本発明は、本明細書において示された模範的な実施形態に限定されるよう意図されず、本明細書において開示された原理及び新規の特徴と一致する最も広い範囲が付与されるべきである。
以下に本件出願当初の特許請求の範囲に記載された発明を付記する。
［Ｃ１］
第１の入力電圧を受信し、変調された出力電圧を伝達するよう構成されたパルス幅変調器と、
前記変調された出力電圧を受信し、誤り訂正信号及び補償信号のうちの少なくとも１つを生成し、前記誤り訂正信号及び補償信号のうちの少なくとも１つに基づいて第２の入力電圧を前記パルス幅変調器に伝達するよう構成された少なくとも１つのフィルタを含むフィルタリングユニットと
を備える、装置。
［Ｃ２］
前記少なくとも１つのフィルタは、
前記パルス幅変調器の前記出力に結合され、前記誤り訂正信号を前記パルス幅変調器に伝達するよう構成された第１のフィルタと、
前記パルス幅変調器の前記出力に結合され、前記補償電圧を前記パルス幅変調器に伝達するよう構成された第２のフィルタと
を備える、Ｃ１に記載の装置。
［Ｃ３］
前記第１のフィルタは、ローパルフィルタを備え、前記第２のフィルタは、バンドパスフィルタを備える、Ｃ２に記載の装置。
［Ｃ４］
前記フィルタリングユニットは、前記第１のフィルタから前記誤り訂正信号を、前記第２のフィルタから前記補償信号を受信するよう構成された比較器を更に含む、Ｃ２に記載の装置。
［Ｃ５］
前記比較器は、前記第２の入力電圧を前記パルス幅変調器に伝達するよう構成される、Ｃ４に記載の装置。
［Ｃ６］
前記パルス幅変調器は、
前記フィルタリングユニットの出力と基準電圧とを受信し、修正された基準電圧を伝達するための第１の加算器と、
スケーリングされたランプ電圧と前記修正された基準電圧とを受信し、スケーリングされ、修正された基準電圧を伝達するための第２の加算器と、
前記第１の入力電圧と前記スケーリングされ、修正された基準電圧とを受信し、変調された電圧を伝達するための比較器と、
前記変調された電圧を受信し、前記変調された電圧を前記パルス幅変調器の利得で除算し、前記変調された出力電圧を伝達するよう構成された除算器と
を備える、Ｃ１に記載の装置。
［Ｃ７］
前記第１の入力電圧を前記パルス幅変調器に伝達し、前記変調された出力電圧を受信するよう構成された電力コンバータ及びモータのうちの１つを更に備える、Ｃ１に記載の装置。
［Ｃ８］
電力コンバータ及びモータのうちの前記１つは、前記パルス幅変調器に直接結合される、Ｃ７に記載の装置。
［Ｃ９］
前記第１の入力電圧は、電力コンバータの出力電圧を備え、前記パルス幅変調器は、前記電力コンバータの出力電圧内における変化に応答して三角波を調節するよう構成される、Ｃ７に記載の装置。
［Ｃ１０］
パルス幅変調された信号を生成することと、
前記周波数ドメイン内において少なくとも１つの伝達を生成するために前記パルス幅変調された信号をフィルタリングすることと
を備える、方法。
［Ｃ１１］
誤り訂正電圧及び補償電圧のうちの少なくとも１つに基づいて前記パルス幅変調された信号を生成するために構成されたパルス幅変調器に信号を伝達することを更に備える、Ｃ１０に記載の方法。
［Ｃ１２］
前記誤り訂正電圧及び前記補償電圧のうちの少なくとも１つに基づいて前記ＰＷＭ信号を生成するために構成されたＰＷＭにおいて受信された基準電圧を修正することを更に備える、Ｃ１０に記載の方法。
［Ｃ１３］
フィルタリングすることは、誤り訂正信号及び補償信号のうちの少なくとも１つを生成することを備える、Ｃ１０に記載の方法。
［Ｃ１４］
前記パルス幅変調された信号をフィルタリングすることは、誤り訂正信号及び補償信号のうちの少なくとも１つを生成するためにバンドパスフィルタ及びローパスフィルタのうちの少なくとも１つを用いて前記パルス幅変調された信号をフィルタリングすることを備える、Ｃ１０に記載の方法。
［Ｃ１５］
パルス幅変調器を用いてパルス幅変調された信号を生成することと、
誤り訂正電圧及び補償電圧のうちの少なくとも１つを生成するために前記パルス幅変調された信号をフィルタリングすることと、
前記誤り訂正電圧及び前記補償電圧のうちの少なくとも１つに基づいて前記パルス幅変調器において受信された基準電圧を修正することと
を備える、方法。
［Ｃ１６］
前記パルス幅変調された信号をフィルタリングすることは、前記誤り訂正電圧を生成するためにローパルフィルタを用いて前記パルス幅変調された信号をフィルタリングすることと、前記補償電圧を生成するためにバンドパスフィルタを用いて前記パルス幅変調された信号をフィルタリングすることとのうちの少なくとも１つを備える、Ｃ１５に記載の方法。
［Ｃ１７］
前記パルス幅変調器においてスイッチング電力コンバータの出力電圧を直接受信することを更に備える、Ｃ１５に記載の方法。
［Ｃ１８］
前記基準電圧を修正することは、前記基準電圧を中心とする三角波を調整することを備える、Ｃ１５に記載の方法。
［Ｃ１９］
前記パルス幅変調された信号をフィルタリングすることは、周波数ドメイン内において１つ又は複数の伝達関数を生成することを備える、Ｃ１８に記載の方法。
［Ｃ２０］
パルス幅変調された信号を生成するための手段と、
前記周波数ドメイン内において少なくとも１つの伝達を生成するために前記パルス幅変調された信号をフィルタリングするための手段と
を備える、装置。
［Ｃ２１］
誤り訂正電圧及び補償電圧のうちの少なくとも１つに基づいて前記パルス幅変調された信号を生成するために構成されたパルス幅変調器に信号を伝達するための手段を更に備える、Ｃ２０に記載の装置。
［Ｃ２２］
前記誤り訂正電圧及び前記補償電圧のうちの少なくとも１つに基づいて前記パルス幅変調された信号を生成するために構成されたパルス幅変調器において受信された基準電圧を修正するための手段を更に備える、Ｃ２０に記載の装置。
［Ｃ２３］
パルス幅変調器を用いてパルス幅変調された信号を生成するための手段と、
誤り訂正電圧及び補償電圧のうちの少なくとも１つを生成するために前記パルス幅変調された信号をフィルタリングするための手段と、
前記誤り訂正電圧及び前記補償電圧のうちの少なくとも１つに基づいて前記パルス幅変調器において受信された基準電圧を修正するための手段と
を備える、装置。